【手続補正書】
【提出日】平成20年9月12日(2008.9.12)
【手続補正１】
【補正対象書類名】特許請求の範囲
【補正対象項目名】全文
【補正方法】変更
【補正の内容】
【特許請求の範囲】
【請求項１】
シートが積載される複数の積載トレイ部材と、
前記複数の積載トレイ部材にそれぞれ向かうシートの搬送経路の搬送分岐点よりもシートの搬送方向の上流側の搬送経路に、搬送方向に距離を隔てて配置され、シートを挟持して搬送するとともに、搬送方向と交差する幅方向に移動可能な複数のローラ部材と、を備え、
前記複数のローラ部材は、一体にシートの幅方向へ移動されることを特徴とするシート処理装置。
【請求項２】
前記複数のローラ部材は、前記複数のローラ部材によるシートの搬送中に、幅方向へ移動されることを特徴とする請求項１記載のシート処理装置。
【請求項３】
シートに対して処理を行う複数の処理部を備え、
前記複数のローラ部材は、前記複数の処理部に対するシートの搬送分岐点よりも上流側に配置されることを特徴とする請求項１または２記載のシート処理装置。
【請求項４】
シートの幅方向の位置を検知する位置検知手段を備え、
前記複数のローラ部材の移動量は、前記位置検知手段の出力に基づいて定められることを特徴とする請求項１乃至３のいずれか１項記載のシート処理装置。
【請求項５】
前記複数のローラ部材の上流側と下流側の少なくとも一方に、シートを挟持して搬送する圧接／離間が可能な搬送ローラ対を備え、
前記搬送ローラ対は、前記複数のローラ部材を幅方向へ移動させる前に、離間されることを特徴とする請求項１乃至４のいずれか１項記載のシート処理装置。
【請求項６】
前記複数のローラ部材の幅方向の移動量は、前記複数の積載トレイ部材に積載されるシートのグループごとに定められることを特徴とする請求項１乃至５のいずれか１項記載のシート処理装置。
【請求項７】
前記搬送経路を搬送されるシートを一時的に待機させるシート待機手段を備え、
前記シート待機手段よりも上流側に、前記複数のローラ部材が配置されることを特徴とする請求項１乃至６のいずれか１項記載のシート処理装置。
【請求項８】
前記複数のローラ部材を支持して、シートの幅方向へ一体に移動可能な移動筐体部材と、
前記移動筐体部材を駆動して幅方向へ移動させる駆動機構と、を有することを特徴とする請求項１乃至７のいずれか１項記載のシート処理装置。
【請求項９】
前記複数のローラ部材を回転駆動してシートを搬送するモータおよび中間伝達機構を前記移動筐体部材に搭載したことを特徴とする請求項８記載のシート処理装置。
【請求項１０】
シートに画像を形成する画像形成手段と、
画像形成されたシートを処理する請求項１乃至９のいずれか１項記載のシート処理装置と、を備えたことを特徴とする画像形成装置。
【手続補正２】
【補正対象書類名】明細書
【補正対象項目名】００１４
【補正方法】変更
【補正の内容】
【００１４】
本発明のシート処理装置は、シートが積載される複数の積載トレイ部材と、前記複数の積載トレイ部材にそれぞれ向かうシートの搬送経路の搬送分岐点よりもシートの搬送方向の上流側の搬送経路に、搬送方向に距離を隔てて配置され、シートを挟持して搬送するとともに、搬送方向と交差する幅方向に移動可能な複数のローラ部材と、を備え、前記複数のローラ部材は、一体にシートの幅方向へ移動されるものである。
【手続補正３】
【補正対象書類名】明細書
【補正対象項目名】００１６
【補正方法】変更
【補正の内容】
【００１６】
本発明のシート処理装置では、複数のローラ部材がシートの搬送方向の離れた位置で同時にシートを幅方向に移動させるので、片方のローラ部材だけで移動させる場合よりもシートが斜めに傾きにくい。言い換えれば、シートの上流側と下流側とにおけるシートの移動抵抗モーメントの差によって片方のローラ部材周りに発生するモーメントを、他方のローラ部材におけるシート摩擦で持ち応えることにより、搬送面内におけるシートの回転に抵抗し得る。
【手続補正４】
【補正対象書類名】明細書
【補正対象項目名】００３０
【補正方法】変更
【補正の内容】
【００３０】
圧接した搬送ローラ１１０と離間ローラ１１１とによって搬送されたシートＰは、バッファローラ対１１５に受け渡され、上トレイ１３６（積載トレイ部材）に排紙する場合は、上パス切換えフラッパ１１８が図示されないソレノイド等によって予め下向き状態になっているので、上パス搬送路１１７に導かれた後、上排紙ローラ１２０（排出部材）によって上トレイ１３６に排出されて積載される。
【手続補正５】
【補正対象書類名】明細書
【補正対象項目名】００３３
【補正方法】変更
【補正の内容】
【００３３】
一方、下トレイ１３７（積載トレイ部材）へ排紙する場合は、サドル切換えフラッパ１２５が予め右向き状態にされているので、シートＰは、束搬送ローラ対１２４から下パス１２６へ進入して、下排紙ローラ対１２８（排出部材）によって処理トレイ１３８に排出されて一時的に積載される。
【手続補正６】
【補正対象書類名】明細書
【補正対象項目名】００３７
【補正方法】変更
【補正の内容】
【００３７】
移動ケース２０１（移動筐体部材）には、シフトローラ対１０５、１０７の駆動機構が取り付けてある。シフト搬送モータ２０８（モータ）の回転出力は、駆動ベルト２０９（中間伝達機構）によってシフトローラ対１０５の回転軸に伝達される。図４に示すように、シフトローラ対１０５の回転は、シフト搬送モータ２０８の反対側でシフトローラ対１０５の回転軸に固定されたプーリ２０６から、駆動ベルト２１３を経て、シフトローラ対１０７の回転軸に固定されたプーリ２０７へ伝達される。従って、シフト搬送モータ２０８が回転すると、シフトローラ対１０５、１０７が一体に回転してシートＰを矢印Ｃ方向に搬送する。
【手続補正７】
【補正対象書類名】明細書
【補正対象項目名】００４０
【補正方法】変更
【補正の内容】
【００４０】
シフトユニット１０８に進入したシートＰは、シフト搬送モータ２０８に駆動されたシフトローラ対１０５、１０７に挟持されて、矢印Ｃ方向に搬送される。この時、横レジ検知センサ１０４が矢印Ｅ方向に移動して、シートＰの横レジ誤差Ｘが検出される。制御装置９５０（図１）は、シートＰの搬送を継続しつつ、横レジ誤差ＸとシートＰごとの必要なシフト量とを足し合わせたシフト量だけ、シフトモータ２１０を作動させて、シフトユニット１０８を矢印Ｄ方向に移動させる。
【手続補正８】
【補正対象書類名】明細書
【補正対象項目名】００４１
【補正方法】変更
【補正の内容】
【００４１】
ここで、シフトローラ対１０５、１０７は、２対であるためにシートＰを確実にグリップする事が可能となる。例えば、Ａ３サイズの様な長いサイズのシートの場合、シートＰの先端部や後端部が搬送経路中のＲにかかる場合であっても、２対のローラ対で挟持している事で、その摺動抵抗で発生するモーメントに打ち勝つ事が容易となり、シフト中にシフトローラ対に滑りが生じる事で発生する、いわゆる用紙のスキュー等は全く発生しない。このため、安定してシートをシフトさせながら搬送する事が可能となる。
【手続補正９】
【補正対象書類名】明細書
【補正対象項目名】００５９
【補正方法】変更
【補正の内容】
【００５９】
本実施形態のシート処理装置１００では、シフトユニット１０８によるシフト処理に先立たせて、離間ローラ１１１を搬送ローラ１１０から離間させるので、シートＰをシフトするためにシフトローラ対１０５、１０７以外のローラ対に挟持されていない搬送パス長を短く設定できる。搬送されてきたシートＰは、シフトモード、ノンシフトモード等の既に設定されたモードに応じてシフトユニット１０８により、長い自由な搬送パス内でシフト処理される。
【手続補正１０】
【補正対象書類名】明細書
【補正対象項目名】００７２
【補正方法】変更
【補正の内容】
【００７２】
本実施形態のシート処理装置１００では、シフトユニット１０８（シート移動機構）をバッファパス１１３（シート待機手段）、上トレイ１３６、下トレイ１３７、サドルユニット１３５等の後処理ユニットの上流に配置している。このため、これらの各ユニットで、シフトユニット１０８による効果を共有できる。そして、これらの各ユニットへシートを受け渡す際に、所定量シフトさせた位置か、あるいは、シート処理装置１００のセンタ位置かを設定して受け渡す事が可能となっている。
【手続補正１１】
【補正対象書類名】明細書
【補正対象項目名】００８８
【補正方法】変更
【補正の内容】
【００８８】
１００  シート処理装置
１０４  位置検知手段（横レジ検知センサ）
１０５、１０７  挟持部材、当接部材（シフトローラ対）
１０７  シフトローラ対
１０８  シート移動機構（シフトユニット）
１１０、１１１  搬送ローラ対（搬送ローラ、離間ローラ）
１３６、１３７  シート積載部材（上トレイ、下トレイ）
２０１  移動筐体部材（移動ケース）
２０２、２０３  案内部材（スライドレール）
２０８  モータ（シフト搬送モータ）
２０９、２１３  中間伝達機構（駆動ベルト）
２３０  駆動機構
３００  装置本体
９０２  画像形成手段（画像形成部）